【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
システムリソースを動的に配分する方法であって、
少なくとも１つのモバイル装置が、さらなるリソースを必要としているか、それともリソースを割当解除することを必要としているかを判定することと、
前記リソースを割当解除しかつ補足割当メッセージとして表現される、補足割当を生成することと、
前記補足割当を前記少なくとも１つのモバイル装置に送信することと、
を備える方法。
【請求項２】
生成することは、割当解除の後に前記割当の一部として残るべき複数のリソースを指示する１つのリソースを識別することを備える、請求項１に記載の方法。
【請求項３】
生成することは、割当解除の後に前記割当の一部として残るべき複数のリソースを明示的に識別することを備える、請求項１に記載の方法。
【請求項４】
生成することは、前記割当解除の一部として取り除くべき複数のリソースを明示的に識別することを備える、請求項１に記載の方法。
【請求項５】
生成することは、前記補足割当メッセージを補足割当として識別するために、前記補足割当メッセージ内にフラグをセットすることを備える、請求項１に記載の方法。
【請求項６】
前記フラグは、１つのビットからなる、請求項１に記載の方法。
【請求項７】
モバイル装置に対するリソース割当を補足するのを助けるシステムであって、
複数のモバイル装置の中の少なくとも１つの増加リソース要求または減少リソース要求に関する情報を受信し、かつ、前記少なくとも１つのモバイル装置の前記リソース要求を満たすために、さらなるリソースを配分しあるいは既存のリソースを割当解除するための補足割当を生成する、補足コンポーネントと、
補足割当メッセージを前記複数のモバイル装置に送信するトランシーバと、
を備えるシステム。
【請求項８】
前記補足コンポーネントは、割当解除の後に前記割当の一部として残るべき複数のリソースを指示する１つのリソースを識別する、請求項７に記載のシステム。
【請求項９】
前記補足コンポーネントは、割当解除の後に前記割当の一部として残るべき複数のリソースを明示的に識別する、請求項７に記載のシステム。
【請求項１０】
前記補足コンポーネントは、前記割当解除の一部として取り除くべき複数のリソースを明示的に識別する、請求項７に記載のシステム。
【請求項１１】
前記補足コンポーネントは、前記補足割当メッセージを補足割当として識別するために、前記補足割当メッセージ内にフラグをセットする、請求項７に記載のシステム。
【請求項１２】
前記フラグは、１つのビットからなる、請求項１１に記載のシステム。
【請求項１３】
装置であって、
少なくとも１つのモバイル装置が、さらなるリソースを必要としているか、それともリソースを割当解除することを必要としているかを判定するための手段と、
前記リソースを割当解除しかつ補足割当メッセージとして表現される、補足割当を生成するための手段と、
前記補足割当を前記少なくとも１つのモバイル装置に送信する送信機と、
を備える装置。
【請求項１４】
前記生成するための手段は、割当解除の後に前記割当の一部として残るべき複数のリソースを指示する１つのリソースを識別するための手段を備える、請求項１３に記載の装置。
【請求項１５】
モバイル装置であって、
割当メッセージが補足割当であるかどうかを識別し、前記補足割当がリソースを割当解除することを意図するものかどうかを判定するように構成された、プロセッサと、
前記プロセッサに結合されたメモリと、
を備えるモバイル装置。
【請求項１６】
前記プロセッサは、前記補足割当によって割当解除されるリソースを決定するように構成された、請求項１５に記載のモバイル装置。
【請求項１７】
前記プロセッサは、前記補足割当内に指示された１つのリソースに基づいて、割当解除される複数のリソースを決定するように構成された、請求項１５に記載のモバイル装置。
【請求項１８】
前記プロセッサは、前記補足割当内に指示された複数のリソースに基づいて、割当解除される複数のリソースを決定するように構成された、請求項１５に記載のモバイル装置。
【請求項１９】
前記プロセッサは、前記割当メッセージ内のフラグに基づいて、前記割当が補足割当であるかどうかを判定するように構成された、請求項１５に記載のモバイル装置。
【請求項２０】
前記フラグが、１つのビットからなる、請求項１９に記載のモバイル装置。
【請求項２１】
割当を処理する方法であって、
受信された割当メッセージが、補足割当であるかどうかを判定することと、
前記割当メッセージが補足割当であれば、前記補足割当が、リソースを割当解除することを意図するものであるかどうかを判定することと、
前記補足割当が割当解除であれば、前記割当メッセージ内において識別されるリソースに基づいて、リソースを割当解除することと、
を備える方法。
【請求項２２】
割当解除することは、割当解除の後に前記割当の一部として残るべき複数のリソースを指示する１つの識別されたリソースに基づいて、複数のリソースを割当解除することを備える、請求項２１に記載の方法。
【請求項２３】
割当解除することは、割当解除の後に前記割当の一部として残るべき複数のリソースを指示する複数の識別されたリソースに基づいて、複数のリソースを割当解除することを備える、請求項２１に記載の方法。
【請求項２４】
割当解除することは、割当解除の後に前記割当の一部として残るべき複数のリソースを指示する複数の識別されたリソースと同じものである、複数のリソースを割当解除することを備える、請求項２１に記載の方法。
【請求項２５】
判定することは、前記割当メッセージを補足割当として識別するために前記割当メッセージ内に存在するフラグに基づいて判定することを備える、請求項２１に記載の方法。
【請求項２６】
前記フラグは、１つのビットからなる、請求項２５に記載の方法。
【請求項２７】
装置であって、
受信された割当メッセージが、補足割当であるかどうかを判定するための手段と、
前記割当メッセージが補足割当であれば、前記補足割当が、リソースを割当解除することを意図するものであるかどうかを判定するための手段と、
前記補足割当が割当解除であれば、前記割当メッセージ内において識別されるリソースに基づいて、リソースを割当解除するための手段と、
を備える装置。
【請求項２８】
割当解除するための手段は、割当解除の後に前記割当の一部として残るべき複数のリソースを指示する１つの識別されたリソースに基づいて、複数のリソースを割当解除するための手段を備える、請求項２７に記載の装置。
【請求項２９】
割当解除するための手段は、割当解除の後に前記割当の一部として残るべき複数のリソースを指示する複数の識別されたリソースに基づいて、複数のリソースを割当解除するための手段を備える、請求項２７に記載の装置。
【請求項３０】
割当解除するための手段が、割当解除の後に前記割当の一部として残るべき複数のリソースを指示する複数の識別されたリソースと同じものである、複数のリソースを割当解除するための手段を備える、請求項２７に記載の装置。
【請求項３１】
判定するための手段は、前記割当メッセージを補足割当として識別するために、前記割当メッセージ内に存在するフラグに基づいて判定するための手段を備える、請求項２７に記載の装置。
【請求項３２】
前記フラグは、１つのビットからなる、請求項３１に記載の装置。
【手続補正２】
【補正対象書類名】明細書
【補正対象項目名】００２８
【補正方法】変更
【補正の内容】
【００２８】
図４は、時間の経過４００とともに行われる一連の持続性のない（例えば、非スティッキーな）割当を示す図である。周波数が、割り当てられるシステムリソースの種類として示されるが、割り当てることが可能なシステムリソースは、そのような周波数に限定されない。図によれば、第１のユーザＵ１は、時間１において、周波数ｆａを割り当てられる。時間２において、周波数ｆａは、ひとつは最初の割当がスティッキーな割当ではないという理由から、ユーザ２に再び割り当てられてもよい。周波数ｆｃは、時間１中および時間２中の両方において、ユーザ３に割り当てられるものとして示される。しかしながら、周波数ｆｃのユーザ３への割当は、スティッキーな割当ではないため、ユーザ３が周波数ｆｃを保持することは、時間１および時間２のそれぞれにおいて別個の割当を必要とし、その結果として、割当信号オーバーヘッドの望ましくない増加をもたらすことがあり、これは、システムリソースに悪影響を及ぼす可能性がある。したがって、非スティッキーな割当を使用するシステムは、ｎ個の利用可能な周波数をＮ個のユーザに割り当てるためには、時間フレームごとにｎ個の異なる割当メッセージを必要とすることになる。
【手続補正３】
【補正対象書類名】明細書
【補正対象項目名】００２９
【補正方法】変更
【補正の内容】
【００２９】
図５は、ここで説明される様々な実施形態に関連して使用されてもよいような、経時的になされる一連の持続性のあるまたは「スティッキー」な割当５００を示す図である。例えば、割当の第１の集合が、第１の時間フレーム中にユーザ１〜Ｎに送信されてもよく、そのような割当は、１つ以上のその後の割当が１つ以上の個々のユーザに送信されるまで、持続してもよい。したがって、Ｎ個の割当からなる第１の集合は、そのような割当における変化が望ましいものになりおよび／または必要になるまで（例えば、ユーザニーズ、帯域幅可用性などのために）、システムリソース割当をすべてのユーザに提供するに足るものであってもよい。そのような周波数が利用可能になれば、ｔ３において示されるように、Ｕ６のようなそれに続くユーザが、周波数ｆｄを割り当てられてもよい。このようにして、非スティッキーな割当を使用する場合よりも少ない割当メッセージをネットワークを介して送信すればよい。
【手続補正４】
【補正対象書類名】明細書
【補正対象項目名】００３０
【補正方法】変更
【補正の内容】
【００３０】
さらに、利用可能なシステムリソースは、ユーザがさらなるリソースを必要とすれば、どのユーザ１〜Ｎに割り当てられてもよい。例えば、Ｕ５は、ネットワークを介する通信中のある時間において、周波数ｆｅに加えてさらなる周波数可用性を必要とすることが決定されてもよい。その後の割当メッセージは、周波数ｆｅおよびｆｆがＵ５に割り当てられることを指示するために、Ｕ５に送信されてもよい。さらに、ここで詳細に説明される様々な実施形態に関連して、そのようなさらなる割当メッセージは、周波数をＵ５に再び割り当てるときにネットワークリソースの消費を軽減するために、補足割当であってもよい。
【手続補正５】
【補正対象書類名】明細書
【補正対象項目名】００３１
【補正方法】変更
【補正の内容】
【００３１】
さらに、補足割当は、割当を減少させるものとして機能してもよい。例えば、Ｕ５に関しては、周波数ｆｅおよびｆｆを割り当てられた後にしばらくしてから、リソースを取り除くことが決定される可能性がある。そのようなものとして、補足割当は周波数ｆｆを識別する。Ｕ５は、そのようなメッセージを周波数ｆｅの割当解除と解釈し、周波数ｆｅ上において通信を利用または期待するのを終了する。
【手続補正６】
【補正対象書類名】明細書
【補正対象項目名】００３６
【補正方法】変更
【補正の内容】
【００３６】
図７は、割当信号オーバーヘッドコストを減少させるために、補足リソース割当を通信ネットワークのユーザに提供するのを助けるシステム７００を示す。システム７００は、リソース割当を１つ以上の基地局７０８を介して１つ以上のネットワークユーザ装置７１０に送信するために生成することのできる割当コンポーネント７０２を備える。割当コンポーネント７０２は、スティッキーな（例えば、持続性のある）割当をユーザのために選択的に生成することのできるスティッキーコンポーネント７０４を備え、そのような割当は、その後の非補足割当信号がユーザのリソース割当をリセットするまで、維持される。割当コンポーネント７０２は、必要であれば、非スティッキーな割当を生成してもよく、スティッキーな割当の使用が、ネットワークのユーザにリソースを配分するのに必要とされる割当メッセージの数を軽減することによって、システムオーバーヘッドを減少させるのを助けてもよい。割当が、割当コンポーネント７０２および／またはスティッキーコンポーネント７０４によって、ネットワークのユーザに割り当てられると、補足コンポーネント７０６は、さらなるリソースを１つ以上のユーザに配分する必要があれば、補足割当を生成してもよい。さらに、補足コンポーネント７０６は、もう１つのユーザ装置７１０にすでに割り当てられているリソースを割当解除するのに使用されてもよい。例えば、補足割当は、割当解除される他方のリソースが推定される一方のリソースを、予め定められたアルゴリズムに基づいて識別してもよく、あるいは、残されるリソースまたは割当解除されるリソースを明示的に識別してもよい。
【手続補正７】
【補正対象書類名】明細書
【補正対象項目名】００３９
【補正方法】変更
【補正の内容】
【００３９】
図８は、システムリソースを通信ネットワークのユーザに割り当てるための補足割当を生成するのを助け、それと同時に、リソース配分コストを軽減するのを助けるシステム８００を示す図である。システム８００は、１つ以上の基地局８０８を介して、１つ以上のネットワークユーザ装置８１０に送信するためのリソース割当信号を生成する、割当コンポーネント８０２を備える。そのような割当は、非スティッキーなものであってもよい（例えば、それぞれの時間フレーム中に生成される）。割当コンポーネントは、装置８１０に対する非補足スティッキーまたは持続性、割当を生成するスティッキーコンポーネント８０４を備え、そのようなリソース割当は、その後に非補足割当メッセージが特定のユーザに送信されるまで、ユーザの装置８１０のために持続される。持続性のある割当を送信することによって、スティッキーコンポーネント８０４は、ネットワークのユーザに送信されなければならない割当メッセージの数を減少させるのを助けることができる。送信コストおよび割当メッセージサイズをさらに減少させるために、割当コンポーネント８０２は、これまでの図面を参照して説明されたような補足割当メッセージを生成する補足コンポーネント８０６を備えてもよい。さらに、補足コンポーネント８０６は、もう１つのユーザ装置８１０にすでに割り当てられているリソースを割当解除するのに使用されてもよい。例えば、補足割当は、割当解除される他方のリソースが推定される一方のリソースを、予め定められたアルゴリズムに基づいて識別してもよく、あるいは、残されるリソースまたは割当解除されるリソースを明示的に識別してもよい。
【手続補正８】
【補正対象書類名】明細書
【補正対象項目名】００４２
【補正方法】変更
【補正の内容】
【００４２】
図９は、最小限のオーバーヘッドコストでシステムリソースをユーザに割り当てるのを助けるシステム９００を示す。システム９００は、通信ネットワークにおける１つ以上の基地局９０８を介して、周波数、チャネル、送信タイムスロットなどのようなリソースを１つ以上のユーザ装置９１０に割り当てることのできる、割当コンポーネント９０２を備える。割当コンポーネント９０２は、非補足割当を提供するスティッキーコンポーネント９０４、およびこれまでの図面を参照してここで説明された補足割当を生成することのできる補足コンポーネント９０６を備えてもよい。割当コンポーネント９０２は、さらに、メモリ９１２、プロセッサ９１４、およびＡＩコンポーネント９１６のそれぞれに動作可能に結合され、これらのメモリ９１２、プロセッサ９１４、およびＡＩコンポーネント９１６のそれぞれは、お互いに動作可能に結合されてもよい。さらに、補足コンポーネント９０６は、もう１つのユーザ装置９１０にすでに割り当てられているリソースを割当解除するのに使用されてもよい。例えば、補足割当は、割当解除される他方のリソースが推定される一方のリソースを、予め定められたアルゴリズムに基づいて識別してもよく、あるいは、残されるリソースまたは割当解除されるリソースを明示的に識別してもよい。
【手続補正９】
【補正対象書類名】明細書
【補正対象項目名】００５５
【補正方法】変更
【補正の内容】
【００５５】
図１３は、例示的な無線通信システム１３００を示す。無線通信システム１３００は、わかりやすいように、１つの基地局および１つの端末を描写している。しかしながら、システムは１つよりも多い基地局および／または１つよりも多い端末を含んでもよいことを理解すべきであり、さらなる基地局および／または端末は、実質的に、以下で説明される例示的な基地局および端末と類似するものであってもよく、あるいは異なるものであってもよい。さらに、基地局および／または端末は、これらの間における無線通信を助けるために、ここで説明されたシステム（図６から図９）および／または方法（図１０から図１２）を使用してもよいことを理解すべきである。
【手続補正１０】
【補正対象書類名】明細書
【補正対象項目名】００５６
【補正方法】変更
【補正の内容】
【００５６】
ここで、図１３を参照すると、ダウンリンクのアクセスポイント１３０５において、送信（ＴＸ）データプロセッサ１３１０は、トラフィックデータを受信し、フォーマットし、符号化し、インターリーブし、変調（すなわち、シンボルマップ）し、変調シンボル（「データシンボル」）を提供する。ＯＦＤＭ変調器１３１５は、データシンボルおよびパイロットシンボルを受信および処理し、ＯＦＤＭシンボルのストリームを提供する。ＯＦＤＭ変調器１３１５は、データおよびパイロットシンボルを適切なサブバンド上に多重化し、未使用のそれぞれのサブバンドにゼロの信号値を提供し、ＯＦＤＭシンボル期間ごとにＮ個のサブバンドに対するＮ個の送信シンボルからなる組を得る。それぞれの送信シンボルは、データシンボル、パイロットシンボル、または、ゼロの信号値であってもよい。パイロットシンボルは、それぞれのＯＦＤＭシンボル期間において連続的に送信されてもよい。あるいは、パイロットシンボルは、時分割多重（ＴＤＭ）され、周波数分割多重（ＦＤＭ）され、または、符号分割多重（ＣＤＭ）されてもよい。ＯＦＤＭ変調器１３１５は、Ｎ個の時間領域チップを含む「変換」されたシンボルを得るために、Ｎ点ＩＦＦＴを用いてＮ個の送信シンボルからなるそれぞれの組を時間領域に変換してもよい。ＯＦＤＭ変調器１３１５は、典型的には、それぞれの変換されたシンボルの一部分を反復し、対応するＯＦＤＭシンボルを得る。反復された部分は、サイクリックプレフィックスとして知られており、無線チャネルにおける遅延拡散を減少させるのに使用される。
【手続補正１１】
【補正対象書類名】明細書
【補正対象項目名】００５７
【補正方法】変更
【補正の内容】
【００５７】
送信機ユニット（ＴＭＴＲ）１３２０は、ＯＦＤＭシンボルのストリームを受信し、１つ以上のアナログ信号に変換し、さらに、このアナログ信号を調整（例えば、増幅、フィルタリング、および、周波数アップコンバート）し、無線チャネルを介して送信するのに適したダウンリンク信号を生成する。ダウンリンク信号は、アンテナ１３２５を介して端末に送信される。端末１３３０において、アンテナ１３３５がダウンリンク信号を受信し、受信した信号を受信機ユニット（ＲＣＶＲ）１３４０に提供する。受信機ユニット１３４０は、受信した信号を調整（例えば、フィルタリング、増幅、および周波数ダウンコンバート）し、調整した信号をディジタル化し、サンプルを得る。ＯＦＤＭ復調器１３４５は、それぞれのＯＦＤＭシンボルに付加されたサイクリックプレフィックスを除去し、Ｎ点ＦＦＴを用いて、受信および変換されたそれぞれのシンボルを周波数領域に変換し、ＯＦＤＭシンボル期間ごとのＮ個のサブバンドに対するＮ個の受信シンボルを取り出し、チャネル推定のために受信パイロットシンボルをプロセッサ１３５０に提供する。ＯＦＤＭ復調器１３４５は、さらに、ダウンリンクに対する周波数応答推定値をプロセッサ１３５０から受信し、データシンボル推定値（これは、送信されたデータシンボルの推定値である）を得るために、受信したデータシンボルにデータ復調を施し、データシンボル推定値をＲＸデータプロセッサ１３５５に提供し、これは、送信されたトラフィックデータを復元するために、データシンボル推定値を復調（すなわち、シンボルデマップ）し、デインターリーブし、復号化する。ＯＦＤＭ復調器１３４５およびＲＸデータプロセッサ１３５５による処理は、それぞれアクセスポイント１３０５において、ＯＦＤＭ変調器１３１５およびＴＸデータプロセッサ１３１０による処理と相補的なものである。
【手続補正１２】
【補正対象書類名】明細書
【補正対象項目名】００５８
【補正方法】変更
【補正の内容】
【００５８】
アップリンクにおいて、ＴＸデータプロセッサ１３６０は、トラフィックデータを処理し、データシンボルを提供する。ＯＦＤＭ変調器１３６５は、パイロットシンボルとともにデータシンボルを受信および多重化し、ＯＦＤＭ変調を実行し、ＯＦＤＭシンボルのストリームを提供する。パイロットシンボルは、パイロット送信のために端末１３３０に割り当てられているサブバンド上に送信されてもよく、アップリンクのためのパイロットサブバンドの数は、ダウンリンクのためのパイロットサブバンドの数と同じかまたは異なってもよい。送信機ユニット１３７０が、アップリンク信号を生成するために、ＯＦＤＭシンボルのストリームを受信および処理し、このアップリンク信号は、アンテナ１３３５によって、アクセスポイント１３０５に送信される。
【手続補正１３】
【補正対象書類名】明細書
【補正対象項目名】００５９
【補正方法】変更
【補正の内容】
【００５９】
アクセスポイント１３０５において、端末１３３０からのアップリンク信号が、アンテナ１３２５によって受信され、サンプルを取り出すために、受信機ユニット１３７５によって処理される。ＯＦＤＭ復調器１３８０が、このサンプルを処理し、受信したパイロットシンボルおよびアップリンクのためのデータシンボル推定値を提供する。ＲＸデータプロセッサ１３８５は、このデータシンボル推定値を処理し、端末１３３０によって送信されたトラフィックデータを復元する。プロセッサ１３９０は、アップリンク上で送信するアクティブな端末ごとに、チャネル推定を実行する。複数の端末が、これらのそれぞれに割り当てられたパイロットサブバンドの組におけるアップリンク上で、パイロットを同時に送信してもよく、このパイロットサブバンドの組は、インタレースされてもよい。
【手続補正１４】
【補正対象書類名】明細書
【補正対象項目名】００６０
【補正方法】変更
【補正の内容】
【００６０】
プロセッサ１３９０および１３５０は、それぞれ、アクセスポイント１３０５および端末１３３０における動作を監督する（例えば、制御、統合、管理など）。例えば、プロセッサ１３５０は、図１４および図１５を参照して説明される機能を実行するように構成されてもよい。それぞれのプロセッサ１３９０および１３５０は、プログラムコードおよびデータを記憶するメモリユニット（図示しない）に結合されてもよい。また、プロセッサ１３９０および１３５０は、それぞれ、アップリンクおよびダウンリンクに対する周波数およびインパルス応答推定値を得るための計算を実行してもよい。
【手続補正１５】
【補正対象書類名】図面
【補正対象項目名】図６
【補正方法】変更
【補正の内容】
【図６】
2008541578.tif 000001
【手続補正１６】
【補正対象書類名】図面
【補正対象項目名】図８
【補正方法】変更
【補正の内容】
【図８】
2008541578.tif 000002